(57)【特許請求の範囲】
【請求項１】
内部に電子回路を収容するケース部と、
前記ケース部の先端部に設けられ、体毛を切断するための線状の発熱体を収容する体毛焼き切り部と、
を具備した電気式体毛処理器であって、
前記体毛焼き切り部は、
前記ケース部の第１の側面から先端方向に向けて直線状に伸びる複数の第１の櫛歯と、
前記ケース部の、第１の側面と対向する第２の側面から、先端方向に向けて、かつ、前記第１の櫛歯に向けて外側に凸状となるように湾曲して伸びる複数の第２の櫛歯と、
を具備し、
前記第１の櫛歯の数より前記第２の櫛歯の数が少なく、前記第１の櫛歯の間の間隔より前記第２の櫛歯の間の間隔の方が広い
ことを特徴とする電気式体毛処理器。
【請求項２】
請求項１に記載の電気式体毛処理器であって、
前記第１の櫛歯と、前記第２の櫛歯は、前記体毛焼き切り部の外郭を構成する樹脂製部材と一体に構成されており、前記ケース部に対して回動自在に係止され、前記発熱体を覆った使用時の状態と、前記発熱体を露出させたクリーニング時の状態とに設定可能とされている
ことを特徴とする電気式体毛処理器。
【請求項３】
請求項１又は２に記載の電気式体毛処理器であって、
前記発熱体は、前記第１の櫛歯と、前記第２の櫛歯との間であって、これらの中間より前記第１の櫛歯側に寄った部位に配設されている
ことを特徴とする電気式体毛処理器。
【請求項４】
請求項１乃至３の何れか一項記載の電気式体毛処理器であって、
前記第２の櫛歯同士の間隔は、前記第１の櫛歯同士の間隔の略１．８倍〜２．０倍とされている
ことを特徴とする電気式体毛処理器。
【請求項５】
請求項１乃至４の何れか一項記載の電気式体毛処理器であって、
前記ケース部は、外郭が手で持って操作する際の握り部分とされている
ことを特徴とする電気式体毛処理器。
【発明の詳細な説明】
【技術分野】
【０００１】
本発明は、電気式体毛処理器に関し、特にアンダーヘアー等の処理に好適な電気式体毛処理器に関する。
【背景技術】
【０００２】
体毛、特にアンダーヘアーの処理に挟みや剃刀などの刃物を使用すると、毛先が刃物により切り取られるために、尖鋭となり、毛先に触れたときにチクチクする等の刺激を受けるため好ましくない。このため、アンダーヘアー等のムダ毛の処理に使用する電気式体毛処理器として、ニクロム線等の通電発熱体を使用して熱で焼き切るタイプのものが従来から提案されている（例えば、特許文献１参照、特許文献２参照。）
【０００３】
上記のようにニクロム線等の通電発熱体を使用し、アンダーヘアー等のムダ毛を熱で焼き切るタイプの電気式体毛処理器では、切断された体毛の先端は、刃物で切断した場合とは異なり、尖鋭にはならず、毛先に触れた際にチクチクする等の刺激を受けることがないという特徴を有する。
【先行技術文献】
【特許文献】
【０００４】
【特許文献１】特許第３１４７８１３号公報
【特許文献２】特開平１０−３２７９２８号公報
【発明の概要】
【発明が解決しようとする課題】
【０００５】
上述した従来の電気式体毛処理器では、２枚の櫛歯状の部材の間にニクロム線等の通電発熱体を配置した構成となっており、片手でムダ毛の毛先を掴み、この掴んだムダ毛の切断したい長さ方向の部位に櫛歯状の部材を当てがい、櫛歯状の部材の中間部に挟み込まれた通電発熱体で焼き切るようになっている。
【０００６】
しかしながら、電気式体毛処理器においては、さらに使い勝手を改善してより使いやすく、効率的にアンダーヘアー等のムダ毛を処理することのできる電気式体毛処理器の開発が望まれていた。また、男性がアンダーヘアー等のムダ毛を処理する際においても好適に使用することのできる電気式体毛処理器の開発が望まれていた。
【０００７】
本発明の目的は、従来に比べてより使いやすく、効率的にアンダーヘアー等のムダ毛を処理することのできる電気式体毛処理器を提供することにある。
【課題を解決するための手段】
【０００８】
本発明の実施形態の電気式体毛処理器は、内部に電子回路を収容するケース部と、前記ケース部の先端部に設けられ、体毛を切断するための線状の発熱体を収容する体毛焼き切り部と、を具備した電気式体毛処理器であって、前記体毛焼き切り部は、前記ケース部の第１の側面から先端方向に向けて直線状に伸びる複数の第１の櫛歯と、前記ケース部の、第１の側面と対向する第２の側面から、先端方向に向けて、かつ、前記第１の櫛歯に向けて外側に凸状となるように湾曲して伸びる複数の第２の櫛歯と、を具備し、前記第１の櫛歯の数より前記第２の櫛歯の数が少なく、前記第１の櫛歯の間の間隔より前記第２の櫛歯の間の間隔の方が広いことを特徴とする。
【発明の効果】
【０００９】
本発明の電気式体毛処理器によれば、従来に比べてより使いやすく、効率的にアンダーヘアー等のムダ毛を処理することができる。
【図面の簡単な説明】
【００１０】
【図１】実施形態に係る電気式体毛処理器の全体構成を示す斜視図。
【図２】図１の電気式体毛処理器の平面図。
【図３】図１の電気式体毛処理器の側面図。
【図４】図１の電気式体毛処理器の正面図。
【図５】図１の電気式体毛処理器の第１の櫛歯と第２の櫛歯と発熱体の位置関係を模式的に示す図。
【発明を実施するための形態】
【００１１】
以下、図面を参照して、実施形態に係る電気式体毛処理器について詳細に説明する。
【００１２】
図１は、実施形態に係る電気式体毛処理器１００の全体構成を示す斜視図、図２は電気式体毛処理器１００の平面図、図３は電気式体毛処理器１００の側面図である。これらの図に示すように、電気式体毛処理器１００は、内部に電子回路（図示せず。）を収容し、外郭が手で持って操作する際の握り部分として使用されるケース部１０１を具備している。ケース部１０１は、樹脂製であり、片手で握れる大きさとされており、本実施形態の例では、図２に示すように長手方向の長さＡが約１１０ｍｍ、短手方向の長さＢが約５０ｍｍ、図３に示すように厚さＤが約２０ｍｍとされている。
【００１３】
なお、電子回路としては、後述する発熱体１０５に電力を供給する回路、使用状態を示すＬＥＤランプ１１１等を点灯させるための回路、一定時間使用状態が継続した場合に自動的に電力供給を停止するための回路、電力を供給するための電池等がある。なお、図２等に示される１１０は、メインスイッチであり、１１２は、後述する体毛焼き切り部１０２の第１の櫛歯１０３及び第２の櫛歯１０４を図２に示す矢印のように回動させて開くための開閉ボタンである。
【００１４】
ケース部１０１の長手方向の先端部（図２中上端部）には、体毛焼き切り部１０２が設けられている。体毛焼き切り部１０２には、ケース部１０１の第１の側面（下側面）１０１ａから先端方向（図２中上方向）に向けて、直線状に伸びる複数の第１の櫛歯１０３が設けられている。
【００１５】
また、体毛焼き切り部１０２には、ケース部１０１の第１の側面１０１ａと対向する第２の側面（上側面）１０１ｂから、先端方向（図２中上方向）に向けて、かつ、第１の櫛歯１０３に向けて外側に凸状（熊手状）となるように湾曲して伸びる複数の第２の櫛歯１０４が設けられている。
【００１６】
図４に示されるように、第１の櫛歯１０３の間の間隔と、第２の櫛歯１０４の間の間隔は、第２の櫛歯１０４の間の間隔の方が広く設定されており、櫛歯の本数も、第１の櫛歯１０３の本数よりも第２の櫛歯１０４の本数の方が少なく設定されている。本実施形態では、第１の櫛歯１０３が１４本、第２の櫛歯１０４が１０本とされている。第１の櫛歯１０３同士の間隔は、１ｍｍであり、第２の櫛歯１０４同士の間隔は、２ｍｍである。
【００１７】
図４に示されるように、体毛焼き切り部１０２を先端側から見た時に、第１の櫛歯１０３と第２の櫛歯１０４との間には間隔１０６が設けられており、この間隔の奥側に、ニクロム線等からなる線状の発熱体１０５が設けられている。
【００１８】
図５に、第１の櫛歯１０３、第２の櫛歯１０４、発熱体１０５、間隔１０６の位置関係を側方から見た場合について模式的に示す。図５に示すように、第１の櫛歯１０３は直線状になっており、第２の櫛歯１０４は第１の櫛歯１０３の方向に向けて外側に凸状（熊手状）となるように湾曲している形状となっている関係から、上記した間隔１０６は、第１の櫛歯１０３と第２の櫛歯１０４との中間から第１の櫛歯１０３側に寄った位置に形成されており、したがって、発熱体１０５も、第１の櫛歯１０３と第２の櫛歯１０４との中間から第１の櫛歯１０３側に寄った位置に設けられている。なお、図５に示す間隔１０６の幅ｄ１は、約５ｍｍ程度になっている。
【００１９】
なお、第１の櫛歯１０３及び第２の櫛歯１０４は、体毛焼き切り部１０２の外郭を構成する樹脂製部材と一体に構成されており、図２における左側の部分で、ケース部１０１に対して回動自在に係止されている。そして、ケース部１０１の開閉ボタン１１２を押すことによって図２に矢印で示すように第１の櫛歯１０３及び第２の櫛歯１０４を含む樹脂製部材が開き（図２中点線で示す。）、内部に配設された発熱体１０５を露出させ、その周辺をクリーニングすることができるようになっている。
【００２０】
電気式体毛処理器１００の基本的な使用態様としては、第１の櫛歯１０３を肌に沿わせて移動させることによって、アンダーヘアー等の体毛を起こし、起こした体毛を第２の櫛歯１０４の間で支えて第１の櫛歯１０３と第２の櫛歯１０４との間に設けられた線状の発熱体で焼き切るようになっている。したがって、両手を使うことなく、片手で電気式体毛処理器１００を握って体毛処理を効率的に行うことができ、男性がアンダーヘアー等のムダ毛を処理する際においても好適に使用することができる。なお、アンダーヘアー等の場合、直毛ではなく縮毛が多く、この縮毛を効率良く焼き切れるようにする必要がある。また、発熱体１０５を使用している関係から、発熱体１０５と肌が近づき過ぎないようにして火傷等しないように熱に対する安全性を確保する必要がある。
【００２１】
なお、電気式体毛処理器１００は、体毛の先端側を片手で保持し、もう一方の手で電気式体毛処理器１００を握って体毛に当てて処理する使い方も可能である。また、肌に対して垂直方向から電気式体毛処理器１００を当て、第２の櫛歯１０４の先端側を肌に沿ってスライドさせるようにして体毛処理する使い方も可能である。
【００２２】
第１の櫛歯１０３の本数及び間隔と、第２の櫛歯１０４の本数及び間隔を上記のようにした理由について以下に説明する。なお、前述したとおり、電気式体毛処理器１００の基本的な使用態様としては、第１の櫛歯１０３を肌に沿わせて移動させて、アンダーヘアー等の体毛を起こすものであるため、第１の櫛歯１０３の間隔は、熱に対する安全性を十分確保できるようにする必要があり、この観点からは、１ｍｍ乃至１．１ｍｍ程度とすることが好ましい。この場合、本実施形態では、第１の櫛歯１０３の本数は、１４本又は１３本とすることが好ましい。本実施形態では、前述したとおり、第１の櫛歯１０３の間隔を１ｍｍ、本数を１４本としている。
【００２３】
第１の櫛歯１０３の本数及び間隔に対して、第２の櫛歯１０４の最適な本数及び間隔を調べるため、第２の櫛歯１０４の本数及び間隔を、１４本で間隔１ｍｍ（第１の櫛歯１０３と同一）、１２本で間隔１．４ｍｍ、１０本で間隔２ｍｍ、８本で間隔２．９ｍｍとした体毛焼き切り部１０２を製造し、体毛のすき易さ・立ち上げ易さ、熱に対する安全性の２点を調査した。
【００２４】
上記の調査の結果を表１に示す。なお、表１における評価は、×、△、○の順で高い評価であることを示している。
【表１】
0006932794.tif 000002
【００２５】
表１に示すように、第２の櫛歯１０４の本数及び間隔を、第１の櫛歯１０３と同一の１４本、間隔１ｍｍとした場合、第２の櫛歯１０４の間隔が狭いため、第１の櫛歯１０３で立ち上げた体毛が第２の櫛歯１０４と干渉してしまい、第２の櫛歯１０４の間に入り難くなり、体毛のすき易さ・立ち上げ易さの評価が低くなった。この場合、熱に対する安全性は良好であった。
【００２６】
表１に示すように、第２の櫛歯１０４の本数及び間隔を、１２本、１．４ｍｍとした場合、上記した１４本、間隔１ｍｍとした場合に比べて体毛のすき易さ・立ち上げ易さについて改善が見られたが、十分ではなかった。熱に対する安全性は良好であった。
【００２７】
表１に示すように、第２の櫛歯１０４の本数及び間隔を、１０本、２ｍｍとした場合、上記した２例に比べて体毛のすき易さ・立ち上げ易さは良好であった。また、熱に対する安全性についても良好であった。
【００２８】
表１に示すように、第２の櫛歯１０４の本数及び間隔を、８本、２．９ｍｍとした場合、上記した最初の２例に比べて体毛のすき易さ・立ち上げ易さは良好であった。しかし、第２の櫛歯１０４の間隔が広いため、櫛歯の間に特に皮膚の軟らかい部分や弛んだ部分が喰い込み易く、熱さを感じる場合があり、熱に対する安全性につい評価が△となった。
【００２９】
上記のように、第２の櫛歯１０４の本数及び間隔を、第１の櫛歯１０３と同一とすると、第２の櫛歯１０４の間隔が狭いため、第１の櫛歯１０３で立ち上げた体毛が第２の櫛歯１０４と干渉してしまい、第２の櫛歯１０４の間に入り難くなり、体毛のすき易さ・立ち上げ易さが良くない結果になった。一方、第２の櫛歯１０４の本数を減らしてその間隔を広げ過ぎると、櫛歯の間に特に皮膚の軟らかい部分が喰い込み易く、熱さを感じる場合があり、熱に対する安全性の点で好ましくなく、△いという結果となった。
【００３０】
このため、本実施形態では、第２の櫛歯１０４の本数及び間隔を、１０本、２ｍｍとした。これによって、体毛のすき易さ・立ち上げ易さが良好で、かつ、熱に対する安全性も確保できるようにした。また、本実施形態では、図５に示したとおり、発熱体１０５も、第１の櫛歯１０３と第２の櫛歯１０４との中間から第１の櫛歯１０３側に寄った位置に設けられている。つまり、より櫛歯が密に配置され櫛歯同士の間隔が狭い側に寄って発熱体１０５が配設されているので、より確実に熱に対する安全性を確保できるようになっている。なお、第１の櫛歯１０３の本数を、１３本とし、間隔を１．１ｍｍとした場合も、上記した１４本とした場合と同様な結果となった。すなわち、この場合も第２の櫛歯１０４の本数を１０本、間隔を２ｍｍとすることが好ましい。第１の櫛歯１０３の間隔に対する第２の櫛歯１０４の間隔の比は、約１．８倍〜２．０倍程度とすることが好ましい。
【００３１】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１００……電気式体毛処理器、１０１……ケース部、１０１ａ……第１の側面（下側面）、１０１ｂ……第２の側面（上側面）、１０２……体毛焼き切り部、１０３……第１の櫛歯、１０４……第２の櫛歯１０４、１０５……発熱体、１０６……間隔、１１０……メインスイッチ、１１１……使用状態を示すＬＥＤランプ、１１２……開閉ボタン。
【図１】
0006932794.tif 000003
【図２】
0006932794.tif 000004
【図３】
0006932794.tif 000005
【図４】
0006932794.tif 000006
【図５】
0006932794.tif 000007